(57)【特許請求の範囲】
【請求項１】
複数のパネル部材を横方向に並べて組み立てられるコンクリート型枠であって、
横方向に隣り合うパネル部材のうち、一方のパネル部材の側端部に、縦方向に沿って延設された溝状の軸受け部が設けられ、他方のパネル部材の側端部に、縦方向に沿って延設されて前記軸受け部に軸回転可能に嵌合された軸芯部が設けられ、横方向に隣り合うパネル部材同士が、前記軸受け部及び前記軸芯部を介して連結されており、
前記軸受け部が、横断面視において前記パネル部材の型枠面の垂線に対して斜めの方向に向けて開いていることを特徴とするコンクリート型枠。
【請求項２】
請求項１に記載のコンクリート型枠において、
前記パネル部材に、表側に型枠面を有する堰板部と、該堰板部の裏面に突設されていると共に縦方向に沿って延設されたリブ部と、が備えられており、
前記パネル部材が押出加工によって形成されたアルミニウム製の押し出し材であり、前記堰板部と前記リブ部とが一体に形成されていることを特徴とするコンクリート型枠。
【請求項３】
請求項２に記載のコンクリート型枠において、
前記パネル部材の裏側に嵌合された補強部材が備えられ、
該補強部材に、前記堰板部と平行に配設された裏板部と、前記堰板部の裏面に対向する前記裏板部の裏面に横断面視において斜めに突設されたラチス部と、前記裏板部の裏面に配設されて前記リブ部が嵌合するリブ嵌合部と、が備えられており、
前記パネル部材に、前記ラチス部が嵌合するラチス嵌合部が形成されており、
前記補強部材と前記パネル部材とが、横断面視において平行弦トラス構造に形成されていることを特徴とするコンクリート型枠。
【請求項４】
請求項３に記載のコンクリート型枠において、
前記パネル部材が、縦方向に複数並べて配設されており、
前記補強部材が、縦方向に隣り合うパネル部材の間に亘って配設されており、
前記ラチス部が、縦方向に沿って延設されていることを特徴とするコンクリート型枠。
【請求項５】
一組のパネル部材を出隅又は入り隅の形状に沿った位置に配設されて組み立てられるコンクリート型枠であって、
前記一組のパネル部材の隣り合う側端部の間にコーナー部材が介装されており、
該コーナー部材に、縦方向に沿って延設された溝状の軸受け部、及び、縦方向に沿って延設された軸芯部のうちの何れか一方又は両方が設けられ、
前記一組のパネル部材の側端部に、前記コーナー部材に設けられた前記軸受け部又は前記軸芯部に軸回転可能に嵌合する軸芯部又は軸受け部が設けられ、
該軸受け部及び前記軸芯部を介して前記一組のパネル部材と前記コーナー部材とがそれぞれ連結されており、
前記軸受け部が、横断面視において前記パネル部材の型枠面の垂線に対して斜めの方向に向けて開いていることを特徴とするコンクリート型枠。
【発明の詳細な説明】
【技術分野】
【０００１】
本発明は、コンクリートの成形に用いられるコンクリート型枠に関する。
【背景技術】
【０００２】
従来、コンクリート型枠として、例えば下記特許文献１に記載されているような、木質合板からなるパネル部材と、バタ材やフォームタイ（登録商標）等の支保工と、を備えた型枠が知られている。このコンクリート型枠は、複数のパネル部材を並べて配置し、それら複数のパネル部材を支保工で固定して組み立てるものである。
【先行技術文献】
【特許文献】
【０００３】
【特許文献１】特開平９−１６５９１２号公報
【発明の概要】
【発明が解決しようとする課題】
【０００４】
しかしながら、上記した従来のコンクリート型枠では、部品数が非常に多いため、型枠の組立作業や解体作業が煩雑であると共に、それらの作業に相当な時間を要するという問題がある。また、従来のコンクリート型枠では、組立誤差が生じやすく、精度良く型枠を組み立てるのには相当な技量が必要である。
【０００５】
本発明は、上記した従来の問題が考慮されたものであり、組立作業や解体作業を容易に行うことができ、作業時間を短縮することができると共に、組立誤差が生じにくく、コンクリートの形状精度の向上を図ることができるコンクリート型枠を提供することを目的としている。
【課題を解決するための手段】
【０００６】
本発明に係るコンクリート型枠は、複数のパネル部材を横方向に並べて組み立てられるコンクリート型枠であって、横方向に隣り合うパネル部材のうち、一方のパネル部材の側端部に、縦方向に沿って延設された溝状の軸受け部が設けられ、他方のパネル部材の側端部に、縦方向に沿って延設されて前記軸受け部に軸回転可能に嵌合された軸芯部が設けられ、横方向に隣り合うパネル部材同士が、前記軸受け部及び前記軸芯部を介して連結されており、前記軸受け部が、横断面視において前記パネル部材の型枠面の垂線に対して斜めの方向に向けて開いていることを特徴としている。
【０００７】
上記したコンクリート型枠を組み立てる際には、まず、一方のパネル部材の軸受け部の開いた部分から他方のパネル部材の軸芯部を嵌入させる。このとき、双方のパネル部材は、隣り合う位置から相対的に軸芯部回りに回転させた位置に配置する。次に、双方のパネル部材を相対的に軸芯部回りに回転させて隣り合う位置に配置する。これにより、パネル部材が互いに連結された状態で横方向に並べて組み立てられる。そして、上記した組立作業を繰り返し行って、複数のパネル部材を横方向に並べて組み立てることで、コンクリート型枠が形成される。また、このコンクリート型枠を解体する際には、隣り合うパネル部材を相対的に軸芯部回りに回転させて軸芯部を軸受け部から離脱させる。これにより、隣り合うパネル部材が分離され、パネル部材が取り外される。
【０００８】
また、本発明に係るコンクリート型枠は、前記パネル部材に、表側に型枠面を有する堰板部と、該堰板部の裏面に突設されていると共に縦方向に沿って延設されたリブ部と、が備えられており、前記パネル部材が押出加工によって形成されたアルミニウム製の押し出し材であり、前記堰板部と前記リブ部とが一体に形成されていることが好ましい。
これにより、パネル部材がアルミニウム製の部材であるため軽量となる。また、縦方向に延設されたリブ部によってパネル部材の縦方向の曲げ剛性が高くなる。しかも、堰板部とリブ部が押出加工によって一体に形成されているので、特に高い剛性のパネル部材が形成される。
【０００９】
また、本発明に係るコンクリート型枠は、前記パネル部材の裏側に嵌合された補強部材が備えられ、該補強部材に、前記堰板部と平行に配設された裏板部と、前記堰板部の裏面に対向する前記裏板部の裏面に横断面視において斜めに突設されたラチス部と、前記裏板部の裏面に配設されて前記リブ部が嵌合するリブ嵌合部と、が備えられており、前記パネル部材に、前記ラチス部が嵌合するラチス嵌合部が形成されており、前記補強部材と前記パネル部材とが、横断面視において平行弦トラス構造に形成されていることが好ましい。
これにより、平行弦トラス構造によって上述した従来のコンクリート型枠における横バタ材の機能が発揮され、パネル部材の横方向の曲げ剛性が向上する。
【００１０】
また、本発明に係るコンクリート型枠は、前記パネル部材が、縦方向に複数並べて配設されており、前記補強部材が、縦方向に隣り合うパネル部材の間に亘って配設されており、前記ラチス部が、縦方向に沿って延設されていることが好ましい。
これにより、補強部材の縦方向の曲げ剛性が、ラチス部が縦方向に延設されていることで高くなる。そして、この補強部材が、縦方向に隣り合うパネル部材の間に亘って配設されることで、縦方向に隣り合うパネル部材の接続部分の曲げ剛性が補強される。これにより、コンクリート型枠が縦方向に分割された構成であっても、縦方向に連続したコンクリート型枠と同等の構造性能が発揮される。
【００１１】
また、本発明に係るコンクリート型枠は、一組のパネル部材を出隅又は入り隅の形状に沿った位置に配設されて組み立てられるコンクリート型枠であって、前記一組のパネル部材の隣り合う側端部の間にコーナー部材が介装されており、該コーナー部材に、縦方向に沿って延設された溝状の軸受け部、及び、縦方向に沿って延設された軸芯部のうちの何れか一方又は両方が設けられ、前記一組のパネル部材の側端部に、前記コーナー部材に設けられた前記軸受け部又は前記軸芯部に軸回転可能に嵌合する軸芯部又は軸受け部が設けられ、該軸受け部及び前記軸芯部を介して前記一組のパネル部材と前記コーナー部材とがそれぞれ連結されており、前記軸受け部が、横断面視において前記パネル部材の型枠面の垂線に対して斜めの方向に向けて開いていることを特徴とするコンクリート型枠であってもよい。
【００１２】
これにより、出隅部分や入り隅部分のコンクリート型枠を組み立てる際には、まず、軸受け部と軸芯部とを嵌合させて、コーナー部材に一組のパネル部材をそれぞれ連結する。このとき、一組のパネル部材のうちの少なくとも一方を、コーナー部材に隣接する位置から相対的に軸芯部回りに回転させた位置に配置する。次に、そのパネル部材をコーナー部材に対して相対的に軸芯部回りに回転させ、出隅や入り隅の形状に沿った位置に配置する。これにより、出隅又は入り隅を形成する一組のパネル部材が所定の位置に組み立てられる。また、このコンクリート型枠を解体する際には、一組のパネル部材のうちの少なくとも一方を、コーナー部材に隣接する位置から相対的に軸芯部回りに回転させ、パネル部材とコーナー部材とを相対的に軸芯部回りに回転させて軸芯部を軸受け部から離脱させる。これにより、パネル部材がコーナー部材から取り外される。
【発明の効果】
【００１３】
本発明に係るコンクリート型枠によれば、組立作業や解体作業を容易に行うことができ、作業時間を短縮することができる。また、組立誤差が生じにくく、コンクリートの形状精度の向上を図ることができる。
【図面の簡単な説明】
【００１４】
【図１】本発明の第１の実施の形態を説明するためのコンクリート型枠の立面図である。
【図２】本発明の第１の実施の形態を説明するためのパネル部材の斜視図である。
【図３】本発明の第１の実施の形態を説明するためのコンクリート型枠の部分断面図であって、図１に示すＡ−Ａ間の横断面図である。
【図４】本発明の第１の実施の形態を説明するための補強部材の斜視図である。
【図５】本発明の第１の実施の形態を説明するための組立・解体時のコンクリート型枠の部分断面図である。
【図６】本発明の第２の実施の形態を説明するためのコンクリート型枠の出隅部分の横断面図である。
【図７】本発明の第３の実施の形態を説明するためのコンクリート型枠の入り隅部分の横断面図である。
【発明を実施するための形態】
【００１５】
以下、本発明に係るコンクリート型枠の第１から第３の実施の形態について、図面に基いて説明する。
【００１６】
［第１の実施の形態］
図１に示すコンクリート型枠１は、構造物のコンクリートの成形に用いられる型枠である。具体的に説明すると、コンクリート型枠１は、例えば壁や柱、橋脚等のような略鉛直に立設されるコンクリート構造物を形成するための型枠である。このコンクリート型枠１の概略構成としては、横方向（図１に示すＸ方向）及び縦方向（図１に示すＹ方向）にそれぞれ並べて配設された複数のパネル部材２と、それら複数のパネル部材２の裏面に組み付けられた複数の補強部材３と、を備えている。
【００１７】
パネル部材２は、一方向（縦方向、図２に示すＹ方向）に長く前記一方向に直交する方向（横方向、図２に示すＸ方向）に短い縦長の長方形部材である。このパネル部材２の概略構成としては、図１及び図２に示すように、矩形状の堰板部２１と、堰板部２１の裏面（型枠面２０の反対側の面）に突設された複数のリブ部２２と、堰板部２１の両側の縁部（長辺側の縁部）からそれぞれ裏側に向けて突設された側板部２３と、一方の側板部２３の先端部に設けられた溝状の軸受け部２４と、他方の側板部２３の先端部に設けられた軸芯部２５と、堰板部２１の裏面に複数設けられた凹溝状のラチス嵌合部２６と、を備えている。
【００１８】
堰板部２１は、平板状の板部であり、堰板部２１の表面は、コンクリートを成形する型枠面２０（図３に示す）となっている。
リブ部２２は、堰板部２１に対して垂直に突設された板状のリブであり、図２に示すように長手方向（縦方向）に沿って堰板部２１の全長に亘って延設されている。このリブ部２２は、図３に示すように横断面視略Ｔ字状に形成されており、リブ部２２の先端には、堰板部２１に対して平行する平板状のリブ先端部２２ａが形成され、このリブ先端部２２ａが後述するリブ嵌合部３２の内側に嵌合されている。また、複数のリブ部２２は、短手方向に間隔をあけて平行に並設されている。
【００１９】
側板部２３は、堰板部２１に対して垂直に突設されていると共に長手方向（縦方向）に沿って堰板部２１の全長に亘って延設された板状の壁部である。
軸受け部２４は、半円筒形状の溝部であり、断面視略半円弧（Ｕ字）状に形成されている。この軸受け部２４は、長手方向（縦方向）に沿って側板部２３の全長に亘って延設されている。また、軸受け部２４は、図３に示すように横断面視において、パネル部材２の型枠面２０の垂線Ｌに対して斜めの方向に向けて開いている。つまり、断面視Ｕ字状の軸受け部２４が、パネル部材２の短手方向（幅方向）の内側に約４５度傾けた向きで設けられている。
【００２０】
軸芯部２５は、当該パネル部材２に隣接するパネル部材２の軸受け部２４の内側に軸回転可能に嵌合された軸部であり、円柱形状に形成されている。この軸芯部２５は、長手方向（縦方向）に沿って側板部２３の全長に亘って延設されている。
ラチス嵌合部２６は、後述するラチス部３１のラチス先端部３１ａが嵌合するＣチャネル状の溝部であり、長手方向（縦方向）に沿って堰板部２１の全長に亘って延設されていると共に堰板部２１に対して垂直な方向に向けて開いている。また、複数のラチス嵌合部２６は、短手方向に間隔をあけて平行に並設されており、両側のラチス嵌合部２６は側板部２３の基端部に隣接する位置に配設されており、それら両側のラチス嵌合部２６の間に配設されたラチス嵌合部２６は、リブ部２２の基端部に隣接する位置に配設されている。
【００２１】
上記した構成からなるパネル部材２は、アルミニウムを押し出しながら成形する押出加工によって形成されたアルミニウム製の押し出し材であり、上記した堰板部２１、リブ部２２、側板部２３、軸受け部２４、軸芯部２５及びラチス嵌合部２６が一体に形成されている。
【００２２】
また、図１に示すように、上記したパネル部材２には、縦方向（長手方向）の寸法が異なる複数のパネル部材２Ａ〜２Ｃがある。詳しく説明すると、パネル部材２には、長い規格寸法のパネル部材２Ａと、短い規格寸法のパネル部材２Ｂと、任意の長さに切断された調整用のパネル部材２Ｃと、がある。なお、本実施の形態では、長い規格寸法のパネル部材２Ａが最下段に配設され、短い規格寸法のパネル部材２Ｂが中段に配設され、調整用のパネル部材２Ｃが最上段に配設されている。
【００２３】
また、図３に示すように、コンクリート型枠１には、パネル部材２を保持して堰板部２１の膨出変形を抑えるための保持手段４が備えられている。この保持手段４には、パネル部材２の型枠面２０に係合した化粧座金４０と、化粧座金４０の表面に突設された円錐台形状のモッコン４１と、モッコン４１の先端面から突出したセパレータ４２と、化粧座金４０の裏面に重ね合わせられた座金４３と、この座金４３と化粧座金４０とモッコン４１を連結するボルト４４と、裏板部３０の表面に係合した内部座金４５と、内部座金４５と座金４３とを連結する締結ボルト４６と、が備えられている。なお、堰板部２１には、前記した座金４３が挿通される円形状の開口２１ａが形成されており、この開口２１ａの縁部に化粧座金４０が全周に亘って当接している。
【００２４】
また、図１に示すように、上記した保持手段４は、上記した複数の規格寸法のパネル部材２Ａ、２Ｂに対してそれぞれ取り付けられている。具体的には、長い規格寸法のパネル部材２Ａに設けられた保持手段４は、パネル部材２Ａの中心よりも下方の位置に配設されている。また、短い規格寸法のパネル部材２Ｂに設けられた保持手段４は、パネル部材２Ｂの中心位置に配設されている。
【００２５】
また、図３に示すように、横方向に隣り合うパネル部材２，２同士は、各々の側板部２３同士が重ね合わせられると共に各々の型枠面２０が面一になる位置に配設されている。また、一方のパネル部材２の軸受け部２４の内側に他方のパネル部材２の軸芯部２５が嵌合されており、隣り合うパネル部材２，２同士は前記した軸受け部２４及び軸芯部２５を介して連結されている。
【００２６】
図１に示すように、補強部材３は、縦方向に短く横方向に長い横長の長方形部材であり、パネル部材２の裏側に嵌合されている。この補強部材３の概略構成としては、図１、図４に示すように、矩形状の裏板部３０と、裏板部３０の裏面（堰板部２１の裏面に対向する面）に突設された複数のラチス部３１と、裏板部３０の裏面に複数設けられた凹溝状のリブ嵌合部３２と、を備えている。なお、補強部材３の幅寸法（横方向の寸法）は、パネル部材２の幅寸法（横方向の寸法）と略同じ大きさである。
【００２７】
裏板部３０は、平板状の板部であり、堰板部２１の表面は、コンクリートを成形する型枠面２０となっている。
ラチス部３１は、図４に示すように短手方向（縦方向）に沿って裏板部３０の全長に亘って延設された板状部であり、図３に示すように横断面視において裏板部３０に対して斜めに突設されている。詳しく説明すると、ラチス部３１は、図３に示すように横断面視において、隣り合うリブ部２２，２２のうちの一方のリブ部２２のリブ先端部２２ａの位置から他方のリブ部２２の基端部の位置に向かって突出されている。そして、このラチス部３１の先端には、裏板部３０に対して平行する平板状のラチス先端部３１ａが形成されており、このラチス先端部３１ａが前記したラチス嵌合部２６の内側に嵌合されている。
【００２８】
リブ嵌合部３２は、前記したリブ部２２のリブ先端部２２ａが嵌合するＣチャネル状の溝部であり、図４に示すように短手方向（縦方向）に沿って裏板部３０の全長に亘って延設されていると共に裏板部３０に対して垂直な方向に向けて開いている。このリブ嵌合部３２は、前記したラチス部３１の基端部の位置に配設されており、リブ部２２の基端部に隣接する位置に配設されている。
【００２９】
図３に示すように、横断面視において、上記したラチス部３１と裏板部３０とリブ部２２（側板部２３）、及び、上記したラチス部３１とリブ部２２と堰板部２１が、それぞれ略三角形状に形成されており、上記したパネル部材２及び補強部材３が平行弦トラス構造に形成されている。
【００３０】
上記した構成からなる補強部材３は、アルミニウムを押し出しながら成形する押出加工によって形成されたアルミニウム製の押し出し材であり、上記した裏板部３０、ラチス部３１及びリブ嵌合部３２が一体に形成されている。
【００３１】
また、図１に示すように、上記した補強部材３には、縦方向に隣り合うパネル部材２，２の接続部分に取り付けられるジョイント用の補強部材３Ａと、型枠下端部（最下段のパネル部材２Ａの下端部）を補強する根巻き用の補強部材３Ｂと、型枠上端部（最上段の調整用のパネル部材２Ｃとその下のパネル部材２Ｂとの接続部分）を補強する上端用の補強部材３Ｃと、各パネル部材２の縦方向中間部を補強する一対のパネル中間用の補強部材３Ｄ，３Ｄと、がある。
【００３２】
上記したジョイント用の補強部材３Ａは、縦方向に隣り合うパネル部材２，２の間に亘って延設されている。上記した上端用の補強部材３Ｃは、調整用のパネル部材２Ｃとその下のパネル部材２Ｂとの間に亘って延設されている。また、上記した根巻き用の補強部材３Ｂの裏板部３０の下端部には、堰板部２１側に向けて垂直に突出してパネル部材２Ａの下側小口を閉塞する図示せぬ小口板が付設されており、また、上記した上端用の補強部材３Ｃの裏板部３０の上端部には、堰板部２１側に向けて垂直に突出してパネル部材２Ｃの下側小口を閉塞する図示せぬ小口板が付設されている。一対のパネル中間用の補強部材３Ｄ，３Ｄは、縦方向に間隔をあけて平行に延設されており、一対のパネル中間用の補強部材３Ｄ，３Ｄの間に保持手段４の締結ボルト４６が挿通され、これら一対のパネル中間用の補強部材３Ｄ，３Ｄに内部座金４５が当接されている。
【００３３】
次に、上記した構成からなるコンクリート型枠１の作用について説明する。
【００３４】
上記したコンクリート型枠１を組み立てる際には、まず、図５に示すように、一方のパネル部材２の軸受け部２４の開いた部分から他方のパネル部材２の軸芯部２５を嵌入させる。このとき、双方のパネル部材２，２は、隣り合う位置から相対的に軸芯部２５回りに回転させた位置に配置する。
次に、双方のパネル部材２，２を相対的に軸芯部２５回りに回転させて図３に示す隣り合う位置に配置する。これにより、パネル部材２，２が互いに連結された状態で横方向に並べて組み立てられる。
そして、上記した組立作業を繰り返し行って、図１に示すように複数のパネル部材２Ａを横方向に並べて組み立てる。
【００３５】
また、このコンクリート型枠１を解体する際には、隣り合うパネル部材２，２を相対的に軸芯部２５回りに回転させて軸芯部２５を軸受け部２４から離脱させる。これにより、横方向に隣り合うパネル部材２，２が分離され、パネル部材２が取り外される。
【００３６】
上述したコンクリート型枠１によれば、組立作業や解体作業を容易に行うことができ、作業時間を短縮することができる。また、組立誤差が生じにくく、コンクリートの形状精度の向上を図ることができる。
【００３７】
また、上記したコンクリート型枠１では、パネル部材２がアルミニウム製の部材であるため軽量である。このため、組立、解体、運搬作業を軽減することができ、施工性を向上させることができる。
また、パネル部材２は、リブ部２２が長手方向（縦方向）に沿って延設されているので、パネル部材２の長手方向（縦方向）の曲げ剛性が高い。しかも、堰板部２１とリブ部２２が押出加工によって一体に形成されているので、特に高い剛性のパネル部材２が形成される。したがって、長方形状の堰板部２１が長手方向に曲げ変形しにくくなり、コンクリートの形状精度を向上させることができる。
【００３８】
また、上記したコンクリート型枠１では、パネル部材２と補強部材３が、横断面視において平行弦トラス構造に形成されているため、この平行弦トラス構造によって従来の横バタ材の機能が発揮され、横方向の曲げ剛性が向上する。これにより、堰板部２１が横方向に曲げ変形しにくくなり、コンクリートの形状精度を向上させることができる。
【００３９】
また、上記したコンクリート型枠１では、補強部材３のラチス部３１が縦方向に延設されているので、補強部材３の縦方向の曲げ剛性が高い。そして、この補強部材３が、縦方向に隣り合うパネル部材２，２の間に亘って配設されることで、縦方向に隣り合うパネル部材２，２の接続部分の曲げ剛性が補強される。これにより、コンクリート型枠１が縦方向に分割された構成であっても、縦方向に連続したコンクリート型枠と同等の構造性能が発揮される。したがって、コンクリート型枠１の縦方向の曲げ剛性を確保しつつ、パネル部材２を大型化することなく、縦方向寸法が大きいコンクリート型枠１を形成することができる。
【００４０】
［第２の実施の形態］
図６に示すコンクリート型枠１０１は、柱や壁の出隅部のコンクリートの成形に用いられる型枠である。このコンクリート型枠１０１の概略構成としては、図６に示すように、出隅部の形状に沿った位置に配設される一組のパネル部材２，２と、それら一組のパネル部材２，２の側板部２３，２３の間に配設されたコーナー部材５と、パネル部材２の裏面に組み付けられた補強部材３と、を備えている。
【００４１】
一組のパネル部材２，２は、互いに直交する向きに配設されている。これら一組のパネル部材２，２のうち、一方のパネル部材２の側板部２３の先端部には軸受け部２４が設けられ、他方のパネル部材２の側板部２３の先端部には軸芯部２５が設けられている。なお、一方のパネル部材２の軸受け部２４は、横断面視において、一方のパネル部材２の型枠面２０の垂線に対して斜めの方向に向けて開いている。つまり、断面視Ｕ字状の軸受け部２４が、パネル部材２の短手方向（幅方向）の内側に約４５度傾けた向きで設けられている。
【００４２】
コーナー部材５は、縦方向に延在する支柱状の部材であり、横断面視略三角形状に形成されている。このコーナー部材５の概略構成としては、出隅部の角部を成形する面木部５０と、面木部５０の両側の側端部からパネル部材２の側板部２３に沿ってそれぞれ突設された側板部５１，５１と、これらの側板部５１，５１の先端部の間に配設された背板部５２と、面木部５０の両側の側端部と背板部５２の内面との間にそれぞれ配設されたリブ板部５３と、を備えている。
【００４３】
面木部５０は、横断面視円弧状に湾曲した板部であり、縦方向に沿って延設されている。側板部５１は、パネル部材２の側板部２３に重ね合わせられる平板状の板部であり、縦方向に沿って面木部５０の全長に亘って延設されている。背板部５２は、横断面視において側板部５１，５１に対して４５度傾いた向きに配設された平板状の板部であり、この背板部５２の両側の側端部は、側板部５１，５１の先端部に連結されている。リブ板部５３は、背板部５２に対して垂直に配設されている。
【００４４】
また、前記した背板部５２と側板部５１との角部分には、軸受け部２４または軸芯部２５が設けられている。詳しく説明すると、前記した一方のパネル部材２の側板部２３に重ね合わせられた側板部５１と背板部５２との角部分には、一方のパネル部材２の軸受け部２４の内側に軸回転可能に嵌合する軸芯部２５が設けられている。また、前記した他方のパネル部材２の側板部２３に重ね合わせられた側板部５１と背板部５２との角部分には、軸受け部２４が設けられ、この軸受け部２４の内側に、前記した他方のパネル部材２の軸芯部２５が軸回転可能に嵌合されている。コーナー部材５の軸受け部２４は、横断面視において、他方のパネル部材２の型枠面２０の垂線に対して斜めの方向に向けて開いている。つまり、この断面視Ｕ字状の軸受け部２４が、パネル部材２の短手方向（幅方向）の外側に約４５度傾けた向きで設けられている。
【００４５】
上記した構成のコーナー部材５は、アルミニウムを押し出しながら成形する押出加工によって形成されたアルミニウム製の押し出し材であり、上記した面木部５０、側板部５１，５１、背板部５２、リブ板部５３、軸受け部２４及び軸芯部２５が一体に形成されている。
【００４６】
上記した構成のコンクリート型枠１０１の作用について説明する。
【００４７】
上記したコンクリート型枠１０１を組み立てる際には、まず、コーナー部材５の軸芯部２５を一方のパネル部材２の軸受け部２４に嵌入させると共に、コーナー部材５の軸受け部２４に他方のパネル部材２の軸芯部２５を嵌入させる。このとき、一組のパネル部材２，２は、コーナー部材５に対して相対的に軸芯部２５回りに回転させた位置にそれぞれ配置する。次に、それらのパネル部材２，２をコーナー部材５に対して相対的に軸芯部２５回りに回転させ、出隅部の形状に沿った位置に配置する。これにより、出隅部を形成する一組のパネル部材２，２が所定の位置に組み立てられる。
【００４８】
また、上記したコンクリート型枠１０１を解体する際には、一組のパネル部材２，２のうちの少なくとも一方を、コーナー部材５に隣接する位置から相対的に軸芯部２５回りに回転させ、軸芯部２５を軸受け部２４から離脱させる。これにより、パネル部材２，２がコーナー部材５から取り外され、コンクリート型枠１０１が解体される。
【００４９】
上記したコンクリート型枠１０１によれば、角部の締めを行わなくても角部の強度が十分に得られる。また、出隅部のコンクリート型枠１０１の組立作業や解体作業を容易に行うことができ、作業時間を短縮することができる。また、出隅部のコンクリート型１０１枠の組立誤差が生じにくく、出隅部のコンクリートの形状精度の向上を図ることができる。
【００５０】
［第３の実施の形態］
図７に示すコンクリート型枠２０１は、壁等の入り隅部のコンクリートの成形に用いられる型枠である。このコンクリート型枠２０１の概略構成としては、図７に示すように、入り隅部の形状に沿った位置に配設される一組のパネル部材２，２と、それら一組のパネル部材２，２の側板部２３，２３の間に配設されたコーナー部材６と、パネル部材２の裏面に組み付けられた補強部材３と、を備えている。
【００５１】
一組のパネル部材２，２は、互いに直交する向きに配設されている。これら一組のパネル部材２，２のうち、一方のパネル部材２の側板部２３の先端部には軸受け部２４が設けられ、他方のパネル部材２の側板部２３の先端部には軸芯部２５が設けられている。なお、一方のパネル部材２の軸受け部２４は、横断面視において、一方のパネル部材２の型枠面２０の垂線に対して斜めの方向に向けて開いている。つまり、断面視Ｕ字状の軸受け部２４が、パネル部材２の短手方向（幅方向）の内側に約４５度傾けた向きで設けられている。
【００５２】
コーナー部材６は、縦方向に延在する支柱状の部材であり、このコーナー部材６には、横断面視略三角形状の面木部材７と、この面木部材７に対して取り外し可能に接合された横断面視略台形状の連結部材８と、が備えられている。
【００５３】
面木部材７は、直角に配設された一対の堰板部７０，７０と、一対の堰板部７０，７０の側端部の間に配設された背板部７１と、を備えている。一対の堰板部７０，７０には、パネル部材２の型枠面２０と面一な型枠面７２がそれぞれ形成されている。背板部７１には、後述するボルト９が螺着される雌ねじ部７３が形成されている。
【００５４】
連結部材８は、面木部材７の背板部７１に重ね合わせられる裏板部８０と、裏板部８０に対向配置された表板部８１と、裏板部８０の側端部と表板部８１の側端部との間に配設された両側の側板部８２，８２と、裏板部８０から表板部８１にかけて貫通した貫通孔８３と、を備えている。この連結部材８は、貫通孔８３に挿通されて上記した雌ねじ部７３に螺合されたボルト９によって面木部材７に締結されている。
【００５５】
また、前記した表板部８１と側板部８２，８２との角部分には、軸受け部２４または軸芯部２５が設けられている。詳しく説明すると、前記した一方のパネル部材２の側板部２３に重ね合わせられた側板部８２と表板部８１との角部分には、一方のパネル部材２の軸受け部２４の内側に軸回転可能に嵌合する軸芯部２５が設けられている。また、前記した他方のパネル部材２の側板部２３に重ね合わせられた側板部８２と表板部８１との角部分には、軸受け部２４が設けられ、この軸受け部２４の内側に、前記した他方のパネル部材２の軸芯部２５が軸回転可能に嵌合されている。連結部材８の軸受け部２４は、横断面視において、他方のパネル部材２の型枠面２０の垂線に対して斜めの方向に向けて開いている。つまり、この断面視Ｕ字状の軸受け部２４が、パネル部材２の短手方向（幅方向）の外側に約４５度傾けた向きで設けられている。
【００５６】
なお、上記した面木部材７及び連結部材８は、アルミニウムを押し出しながら成形する押出加工によって形成されたアルミニウム製の押し出し材である。
【００５７】
上記した構成のコンクリート型枠２０１の作用について説明する。
【００５８】
上記したコンクリート型枠２０１を組み立てる際には、まず、面木部材７と連結部材８とをボルト９で締結してコーナー部材６を組み立てる。その後、そのコーナー部材６（コーナー部材６）の軸芯部２５を一方のパネル部材２の軸受け部２４に嵌入させると共に、コーナー部材６（連結部材８）の軸受け部２４に他方のパネル部材２の軸芯部２５を嵌入させる。このとき、一組のパネル部材２，２は、コーナー部材６に対して相対的に軸芯部２５回りに回転させた位置にそれぞれ配置する。次に、それらのパネル部材２，２をコーナー部材６に対して相対的に軸芯部２５回りに回転させ、入り隅部の形状に沿った位置に配置する。これにより、入り隅部を形成する一組のパネル部材２，２が所定の位置に組み立てられる。
【００５９】
また、上記したコンクリート型枠２０１を解体する際には、一組のパネル部材２，２のうちの一方のパネル部材２を、コーナー部材６に隣接する位置から相対的に軸芯部２５回りに回転させ、軸芯部２５を軸受け部２４から離脱させる。これにより、一方のパネル部材２がコーナー部材６から取り外されて解体される。続いて、ボルト９を取り外した後、他方のパネル部材２及び連結部材８を、他方のパネル部材２のコーナー部材６側の反対側に形成された図示せぬ軸受け部に嵌合する軸芯部回りに一体で回転させ、その軸芯部を軸受け部から離脱させる。これにより、他方のパネル部材２及び連結部材８が一体で解体される。その後、面木部材７を取り外すことで、コンクリート型枠２０１が解体される。
【００６０】
上記したコンクリート型枠２０１によれば、角部の締めを行わなくても角部の強度が十分に得られる。また、入り隅部のコンクリート型枠２０１の組立作業や解体作業を容易に行うことができ、作業時間を短縮することができる。また、入り隅部のコンクリート型枠２０１の組立誤差が生じにくく、入り隅部のコンクリートの形状精度の向上を図ることができる。
【００６１】
以上、本発明に係るコンクリート型枠の実施の形態について説明したが、本発明は上記した実施の形態に限定されるものではなく、その趣旨を逸脱しない範囲で適宜変更可能である。
例えば、上記した実施の形態では、パネル部材２の一方の側端部に軸受け部２４が設けられ、他方の側端部に軸芯部２５が設けられているが、本発明は、両側の側端部に軸受け部２４がそれぞれ設けられた第一のパネル部材と、両側の側端部に軸芯部２５がそれぞれ設けられた第二のパネル部材と、を横方向に交互に並べて組み立てられるコンクリート型枠であってもよい。
【００６２】
また、上記した実施の形態では、パネル部材２が縦方向に長い長方形状に形成されているが、本発明は、他の形状のパネル部材であってもよい。例えば、正方形状のパネル部材であってもよい。また、例えば梁形や開口縁等に沿って切り欠かれた切欠き部が形成された形状であってもよい。
【００６３】
また、上記した実施の形態では、壁や柱等の鉛直方向に立設する構造体を形成するコンクリート型枠１，１０１，２０１について説明しているが、本発明は、梁やスラブを形成するコンクリート型枠であってもよい。
【００６４】
また、上記した実施の形態では、パネル部材２や補強部材３がアルミニウム製の部材であるが、本発明は、他の材質のパネル部材や補強部材を用いることも可能である。例えば合成樹脂製や鋼製、木製のパネル部材や補強部材を用いることも可能である。なお、鋼製のパネル部材や補強部材の場合には、リブ部やラチス部を堰板部や裏板部に対して溶接等によって接合させることができる。
【００６５】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００６６】
１，１０１，２０１  コンクリート型枠
２  パネル部材
３  補強部材
５，６  コーナー部材
２０  型枠面
２１  堰板部
２２  リブ部
２４  軸受け部
２５  軸芯部
２６  ラチス嵌合部
３０  裏板部
３１  ラチス部
３２  リブ嵌合部
【図１】
0005467439.tif 000002
【図２】
0005467439.tif 000003
【図３】
0005467439.tif 000004
【図４】
0005467439.tif 000005
【図５】
0005467439.tif 000006
【図６】
0005467439.tif 000007
【図７】
0005467439.tif 000008